(57)【要約】【課題】オンボード電源を有する拡張ボードにおいて、操作ミスによるホットプラグ状態を防止する。【解決手段】前面に設けられた第１のコネクタ１２に供給される電源電圧で動作し、後部の第２のコネクタ１１が装置のコネクタ２１に接続されたときに、このコネクタ２１側に設けられた短絡配線２３を介して流れる電流によって、第１のコネクタ１２とオンボード電源１４の間の接続をオン／オフするスイッチ手段１３ｍをオン状態にする制御手段１３ｃを有している。これにより、拡張ボード１０をコネクタ２１に実装しなければオンボード電源１４に電源電圧が供給されないので、操作ミスによるホットプラグ状態を防止することができる【選択図】      図１
2007114922.tif 000002
【特許請求の範囲】
【請求項１】
前面に外部からの電源ケーブルを接続するための第１のコネクタが設けられ、後部に装置に実装するための第２のコネクタが設けられ、該第１のコネクタに供給される電源電圧を該装置の内部電源電圧に変換して該第２のコネクタから出力するオンボード電源を備えた拡張ボードにおいて、
前記第１のコネクタと前記オンボード電源の間の接続をオン／オフするスイッチ手段と、
前記第１のコネクタに供給される電源電圧で動作し、前記第２のコネクタが前記装置に接続されたときに、該装置側に設けられた短絡配線を介して流れる電流によって前記スイッチ手段をオン状態にする制御手段とを、
設けたことを特徴とする拡張ボード。
【請求項２】
前記第２のコネクタが前記装置に接続されていない状態でも、ショートピンまたは鍵を挿入することによって、該装置側に設けられた短絡配線と同様の短絡回路を形成する短絡手段を設けたことを特徴とする請求項１記載の拡張ボード。
【発明の詳細な説明】
【技術分野】
【０００１】
本発明は、コンピュータ等に実装されるオンボード電源を有する拡張ボードに関するものである。
【背景技術】
【０００２】
【特許文献１】特開２００２−１８２７８９号公報
【０００３】
図２は、上記特許文献１に記載された従来の拡張ボードの取付機構の構成図である。
この取付機構は、コンピュータ内に設けられたバス１に対して、拡張ボード２を自在に挿入及び抜脱するもので、バス１に挿入された拡張ボード２の抜脱方向の端部に沿って、この端部を覆うガードバー３と、このガードバー３が拡張ボード２の端部を覆った配置で係止する係止手段４と、ガードバー３の係止によって拡張ボード２に対して通電可能とすると共にその係止の解除により通電を切る切換スイッチ５を備えている。これにより、拡張ボード２を完全にバス１に挿入した後、ガードバー３を係止手段４に係止しないと、切換スイッチ５が通電可能な状態にならないので、通電状態にある拡張ボード２への接触を防止することができる。
【発明の開示】
【発明が解決しようとする課題】
【０００４】
しかしながら、近年、装置の保守の利便を図るため、装置前面ですべての操作やケーブル接続が行なえるフロントアクセス方式が主流になってきている。オンボード電源を有するフロントアクセス方式の拡張ボードの場合、電源ケーブルを拡張ボードの前面から接続する必要があるため、図２に示すような拡張ボードの取付機構を適用することができなかった。
【０００５】
このため、電源ケーブルを拡張ボードに差し込んでスイッチをオン状態のまま、装置のバックボードのコネクタに挿入すると、所謂ホットプラグ状態となる。これにより、通電状態の箇所に手が触れて感電したり、バックボードのコネクタに挿入する時にスパークが発生したり、無負荷から負荷状態に急激に変化するためオンボード電源が故障したりする等のおそれがあった。
【０００６】
本発明は、オンボード電源を有する拡張ボードにおいて、操作ミスによるホットプラグ状態を防止することを目的としている。
【課題を解決するための手段】
【０００７】
本発明は、前面に外部からの電源ケーブルを接続するための第１のコネクタが設けられ、後部に装置に実装するための第２のコネクタが設けられ、該第１のコネクタに供給される電源電圧を該装置の内部電源電圧に変換して該第２のコネクタから出力するオンボード電源を備えた拡張ボードにおいて、前記第１のコネクタと前記オンボード電源の間の接続をオン／オフするスイッチ手段と、前記第１のコネクタに供給される電源電圧で動作し、前記第２のコネクタが前記装置に接続されたときに、該装置側に設けられた短絡配線を介して流れる電流によって前記スイッチ手段をオン状態にする制御手段とを設けたことを特徴としている。
【発明の効果】
【０００８】
本発明の拡張ボードは、前面に設けられた第１のコネクタに供給される電源電圧で動作し、後部の第２のコネクタが装置に接続されたときに、この装置側に設けられた短絡配線を介して流れる電流によって、第１のコネクタとオンボード電源の間の接続をオン／オフするスイッチ手段をオン状態にする制御手段を有している。これにより、拡張ボードを装置に実装しなければオンボード電源に電源電圧が供給されないので、操作ミスによるホットプラグ状態を防止することができる、という効果がある。
【発明を実施するための最良の形態】
【０００９】
第２のコネクタが装置に接続されていない状態でも、ショートピンまたは鍵を挿入することによって、この装置側に設けられた短絡配線と同様の短絡回路を形成する短絡手段を設けると、拡張ボード単体での試験、修理、調整等を行なうことができる。この拡張ボード１０を出荷する際は、ショートピンや鍵を外しておけば、ユーザによる誤操作が回避できる。
【００１０】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１１】
図１は、本発明の実施例を示す拡張ボードの構成図である。
この拡張ボード１０は、装置のバックボードのコネクタ２１に挿入して使用するもので、装置側のコネクタ２１に対応するエッジコネクタ１１と、前面から電源ケーブルを介して電源電圧が供給されるコネクタ１２を有している。
【００１２】
コネクタ１２は端子１２ａ，１２ｂを有し、これらの端子１２ａ，１２ｂがスイッチ手段（例えば、リレー接点１３ｍ）を介してオンボード電源１４の入力側に接続されている。オンボード電源１４は、外部から与えられる電源電圧を、装置の内部で必要な内部電源電圧に変換して出力するものである。オンボード電源１４の出力側は、エッジコネクタ１１の端子１１ａ，１１ｂに接続されている。
【００１３】
更に、コネクタ１２の端子１２ａは、制御手段（例えば、リレーコイル１３ｃ）と抵抗１５を介してエッジコネクタ１１の端子１１ｃに接続され、コネクタ１２の端子１２ｂはエッジコネクタ１１の端子１１ｄに直接接続されている。また、この拡張ボード１０には、エッジコネクタ１１の端子１１ｃ，１１ｄの間をショートピンを使用して短絡回路を形成するための短絡手段（例えば、端子１６）が設けられている。
【００１４】
一方、装置側のコネクタ２１は、拡張ボード１０のエッジコネクタ１１の端子１１ａ〜１１ｄに対応する端子２１ａ〜２１ｄを有しており、この端子２１ａ，２１ｂには、内部回路２２が接続されている。また、端子２１ｃ，２１ｄの間は、短絡配線２３によって短絡されている。
【００１５】
次に動作を説明する。
この拡張ボード１０を装置のバックボードに実装する場合、端子１６にはショートピンを差し込まずオープン状態にして、エッジコネクタ１１をコネクタ２１に挿入する。
【００１６】
このとき、前面のコネクタ１２に電源ケーブルを接続しない状態でバックボードのコネクタ２１に挿入すれば、オンボード電源１４は動作せず、安全に実装できる。その後、コネクタ１２に電源ケーブルを接続すると、端子１２ａ→リレーコイル１３ｃ→抵抗１５→端子１１ｃ→端子２１ｃ→短絡配線２３→端子２１ｄ→端子１１ｄ→端子１２ｂの信号ラインによってリレーコイル１３ｃに電流が流れる。これによってリレー接点１３ｍが閉じ、オンボード電源１４に電源ケーブルを通して外部からの電源電圧が供給される。オンボード電源１４で生成された内部電源電圧は、エッジコネクタ１１から装置側のコネクタ２１を介して内部回路２２に供給される。
【００１７】
一方、バックボードのコネクタ２１に挿入する前に、拡張ボード１０の前面のコネクタ１２に電源ケーブルを接続すると、エッジコネクタ１１の端子１１ｃ，１１ｄ間が開放されているので、信号ラインは構成されず、リレーコイル１３ｃに電流は流れない。従って、リレー接点１３ｍは開いた状態で、オンボード電源１４には外部からの電源電圧が供給されず、エッジコネクタ１１の端子１１ａ，１１ｂには、内部電源電圧が出力されない。この状態で、拡張ボード１０を装置側のバックボードに実装すると、エッジコネクタ１１がバックボードのコネクタ２１に嵌合した時点で、信号ラインが構成され、リレーコイル１３ｃに電流が流れる。これにより、リレー接点１３ｍが閉じ、オンボード電源１４に電源ケーブルを通して外部からの電源電圧が供給される。オンボード電源１４で生成された内部電源電圧は、エッジコネクタ１１から装置側のコネクタ２１を介して内部回路２２に供給される。
【００１８】
なお、この拡張ボード１０の単体試験、故障修理、調整等を行なう場合、端子１６にショートピンを挿入する。これにより、エッジコネクタ１１の端子１１ｃ，１１ｄ間が短絡されるので、拡張ボード１０を装置側のコネクタ２１に挿入しなくても、リレー接点１３ｍが閉じ、単体での試験、修理、調整等を行なうことができる。この拡張ボード１０を出荷する際は、ショートピンを外しておけば良い。
【００１９】
以上のように、この実施例の拡張ボード１０は、装置側のバックボードのコネクタ２１との嵌合を検出するための信号ラインを有するので、前面のコネクタ１２からの電源供給の有無に拘らず、装置に実装されるまでオンボード電源１４は動作しない。従って、操作ミスによるホットプラグ状態が防止され、安全に装置へ実装することができるという利点がある。
【００２０】
また、装置との嵌合を検出する信号ラインを短絡するための端子１６を有するので、装置に実装せずに、単体での試験、修理、調整等を行なうことができる。この端子１６は、短絡するためにショートピンを用いる必要があるので、スイッチ等と異なり、誤ってオン状態になってしまうというおそれがない。従って、出荷時にショートピンを外しておけば、通常のユーザであれば端子１６を短絡する術がないので、例え試験用の端子１６を設けておいても、操作ミスによるホットプラグ状態が防止され、安全に装置への実装をすることができるという利点がある。
【００２１】
なお、本発明は、上記実施例に限定されず、種々の変形が可能である。この変形例としては、例えば、次のようなものがある。
（１）  オンボード電源１４で生成する内部電源電圧は、１種類に限らず、複数の電圧を生成するようしても良い。
（２）  バックボードのコネクタ２１は１つに限定されない。例えば、信号用と電源用を別に設けても良い。
（３）  拡張ボード１０はオンボード電源１４のみならず、このオンボード電源１４で生成された内部電源電圧で動作する内部回路を設けることができる。
（４）  端子１６に代えて、特殊な鍵を用いるキースイッチを使用しても良い。
（５）  装置に接続するためのコネクタは、エッジコネクタ１１に限定されない。
【図面の簡単な説明】
【００２２】
【図１】本発明の実施例を示す拡張ボードの構成図である。
【図２】従来の拡張ボードの取付機構の構成図である。
【符号の説明】
【００２３】
１０    拡張ボード
１１    エッジコネクタ
１１ａ〜１１ｄ，１６，２１ａ〜２１ｄ    端子
１２，２１    コネクタ
１３ｍ    リレー接点
１３ｃ    リレーコイル
１４    オンボード電源
１５    抵抗
２２    内部回路
２３    短絡配線
【図１】
2007114922.tif 000003
【図２】
2007114922.tif 000004